(57)【特許請求の範囲】
【請求項１】
固体撮像素子から出力されるオプティカル・ブラック部を一定値に合わせるクランプ手段を有する固体撮像装置であって、
前記クランプ手段は、
前記固体撮像素子の出力が一方の入力端に入力される第１のアンプ手段と、
オプティカル・ブラック部でオンとなるスイッチ及び保持部を含み、前記第１のアンプ手段の出力をサンプルする第１のサンプル手段と、
出力の目標値を設定する目標値設定手段と、
前記第１のサンプル手段からの出力及び前記目標値設定手段からローパスフィルタ手段を介して目標値レベルが与えられ、それらの差を増幅し、前記第１のアンプ手段に入力する第２のアンプ手段と、
前記第２のアンプ手段の出力を前記固体撮像素子から出力が得られる期間にサンプルする第２のサンプル手段と、
前記第２のアンプ手段の出力と前記第２のサンプル手段の出力との差を増幅する第３のアンプ手段と、
前記第３のアンプ手段の出力端を前記固体撮像素子から信号が出力されない期間に前記第１のサンプル手段の保持部に接続し、前記固体撮像素子から信号が出力される期間にその接続を停止するスイッチ手段と、を具備することを特徴とする固体撮像装置。
【請求項２】
固体撮像素子から出力されるオプティカル・ブラック部を一定値に合わせるクランプ手段を有する固体撮像装置であって、
前記クランプ手段は、
前記固体撮像素子の出力が一方の入力端に入力される第１のアンプ手段と、
オプティカル・ブラック部でオンとなるスイッチ及び保持部を含み、前記第１のアンプ手段の出力をサンプルする第１のサンプル手段と、
出力の目標値を設定する目標値設定手段と、
前記第１のサンプル手段からの出力及び前記目標値設定手段からローパスフィルタ手段を介して目標値レベルが与えられ、それらの差を増幅し、前記第１のアンプ手段に入力する第２のアンプ手段と、
前記第２のアンプ手段の出力を前記固体撮像素子から出力が得られる期間にサンプルする第２のサンプル手段と、
前記第２のアンプ手段の出力と前記第２のサンプル手段の出力との差を増幅する第３のアンプ手段と、
前記第３のアンプ手段の出力端を前記固体撮像素子から信号が出力されない期間に前記ローパスフィルタに接続し、前記固体撮像素子から信号が出力される期間にその接続を停止するスイッチ手段と、を具備することを特徴とする固体撮像装置。
【請求項３】
固体撮像素子から出力されるオプティカル・ブラック部を一定値に合わせるクランプ手段を有する固体撮像装置であって、
前記クランプ手段は、
前記固体撮像素子の出力が一方の入力端に入力される第１のアンプ手段と、
オプティカル・ブラック部を含み、垂直ブランク期間以外に動作するスイッチ及び保持部を含み、前記第１のアンプ手段の出力をサンプルする第１のサンプル手段と、
出力の目標値を設定する目標値設定手段と、
前記第１のサンプル手段からの出力及び前記目標値設定手段からローパスフィルタ手段を介して目標値レベルが与えられ、それらの差を増幅し、前記第１のアンプ手段に入力する第２のアンプ手段と、
前記第２のアンプ手段の出力を前記固体撮像素子から出力が得られる期間にサンプルする第２のサンプル手段と、
前記第２のアンプ手段の出力と前記第２のサンプル手段の出力との差を増幅する第３のアンプ手段と、
前記固体撮像素子から信号が出力されない期間に前記第３のアンプ手段の出力を前記第１のサンプル手段に入力し、前記固体撮像素子から信号が出力される期間に前記第１のアンプ手段の出力を前記第１のサンプル手段に入力するスイッチ手段と、を具備することを特徴とする固体撮像装置。
【請求項４】
固体撮像素子から出力されるオプティカル・ブラック部を一定値に合わせるクランプ手段を有する固体撮像装置であって、
前記クランプ手段は、
前記固体撮像素子の出力を増幅する第１のアンプ手段と、
オプティカル・ブラック部での前記第１のアンプ手段の出力をサンプルする第１のサンプル手段と、
出力の目標値を設定する目標値設定手段と、
前記第１のサンプル手段の出力、及び前記目標値設定手段からローパスフィルタ手段を介して目標値レベルが与えられ、それらの差を増幅し、その出力を前記第１のアンプ手段に出力する第２のアンプ手段と、
前記固体撮像素子からの出力が得られる期間に動作して前記ローパスフィルタ手段の時定数及び前記第２のアンプ手段の増幅度の一方を変化させるスイッチ手段と、を具備することを特徴とする固体撮像装置。
【請求項５】
前記スイッチ手段は、前記固体撮像素子から信号が出力される期間にオフ状態となり、前記第２のアンプ手段の帰還抵抗を非接続とし、前記固体撮像素子から信号が出力されない期間はオン状態となり、前記第２のアンプ手段に帰還抵抗を接続するものであり、
前記第１のサンプル手段は、前記固体撮像素子から信号が出力されない期間は動作しないようにしたことを特徴とする請求項４記載の固体撮像装置。
【発明の詳細な説明】
【０００１】
【発明の属する技術分野】
本発明は固体撮像装置に係り、特にオプティカル・ブラックを一定値に設定するオプティカル・ブラック・クランプ回路に特徴を有する固体撮像装置に関するものである。
【０００２】
【従来の技術】
従来より被写体からの光を撮像する装置として、チャージ・カップルド・デバイス（以下、ＣＣＤという）等の固体撮像素子を用いた固体撮像装置がある。このＣＣＤには、画素の一部を遮光することにより、光電変換が行われないオプティカル・ブラック（以下、ＯＢという）部が設けられている。ＯＢ部はＣＣＤの有効画素の前後に配置され、ＯＢ部からの出力は光が入射しないため信号の黒レベルに相当している。ＣＣＤを用いた固体撮像装置では、このＯＢレベルを映像信号の黒レベルの基準として用いており、ＯＢ部を基準レベルに合わせるクランプ処理が行われている。
【０００３】
図１２は従来例の固体撮像装置の構成図であり、（ａ）は全体構成図、（ｂ）はＯＢクランプ回路のブロック図である。図１２（ａ）において、ＣＣＤ５０の出力はＯＢクランプ回路５２に入力される。ＯＢクランプ回路５２では、タイミング発生回路５３から出力されるＯＢクランプ用信号ＯＢＣＰ５５によって、ＣＣＤ５０出力のＯＢ部を基準レベルに合わせる。その後、信号処理回路５４にてガンマ、ニー処理等が施されてから外部に出力される。
【０００４】
図１２（ｂ）を用いて、ＯＢクランプ回路５２とその動作を説明する。ＣＣＤ５０の出力はアンプ５６の＋側に入力され、増幅された後、スイッチ（以下ＳＷという）５７を介してコンデンサＣ１１に供給される。ＯＢＣＰ５５は、ＯＢ部に相当する時間だけスイッチＳＷ５７を閉じる（オン）働きをする。そうすればコンデンサＣ１１には、ＣＣＤ５０出力のＯＢ部相当の電圧が保持されることになる。通常ＣＣＤ５０の出力には暗電流が含まれており、この値はＯＢ部と有効画素部では等しくなる。従ってＯＢクランプ動作は、暗電流の影響をキャンセルするとともに、黒レベル位置を調整する働きもする。
【０００５】
ボリュームＶＲ１の両端は電源±Ｖccに接続されており、ボリュームＶＲ１を調整することで黒レベル位置を調整する。ボリュームＶＲの出力は抵抗Ｒ１０とコンデンサＣ１０から成るローパス・フィルタ（以下、ＬＰＦという）を介してアンプ５８に入力される。アンプ５８ではコンデンサＣ１１のレベルとＶＲ１からの出力とを比較して、その差を増幅する。通常ＯＰアンプは１００ｄＢ（１０万倍）ぐらいの開ループゲインがあり、アンプ５８でもこの程度のゲインを有している。従って、アンプ５８の−入力と＋入力の差異がごく僅かでも、出力は大きく変動する。アンプ５８の入力にはローパスフィルタが接続されているため、その出力は緩やかに変化する。アンプ５８の出力をアンプ５６の−入力に加えることで、ＣＣＤ５０出力の信号レベルが調整される。
【０００６】
図１３は従来例の固体撮像装置のタイミングチャートであり、図１３（ａ）は水平タイミングチャートである。ＣＣＤ５０出力の一水平期間の内、信号として扱われるのが映像期間とＯＢ部である。ＯＢ部に相当する期間で、ＯＢＣＰ５５がＨレベルになり、スイッチＳＷ５７を閉じる。つまりＯＢ部の期間の値をコンデンサＣ１１に保持することで、一水平期間全体の信号レベルをシフトさせたものがＯＢクランプ回路５２の出力となる。
【０００７】
図１３（ｂ）は垂直タイミングを示すタイミングチャートであり、一垂直期間のうち垂直ブランク期間は信号出力がなく、且つＯＢＣＰ５５も出力されない。一般的なＯＢクランプ動作では、垂直ブランク期間（２０〜５０水平期間）程度はコンデンサＣ１１に蓄えた電圧で代用しても問題ない。つまり影響がない程度の時定数（抵抗Ｒ１０、コンデンサＣ１０）に設定されている。
【０００８】
図１３（ｃ）は４フィールド蓄積時のタイミングチャートである。これはＣＣＤ５０からの信号読み出しを４フィールドに１回にした場合の高感度モードでの動作である。ＣＣＤ５０からの信号出力がないときにＯＢクランプ動作が実施されれば、間違った値を保持することとなるため、出力のない期間ではＯＢＣＰ５５は常にＬレベルに保持されている。
【０００９】
【発明が解決しようとする課題】
図１３（ｂ）において、環境の大きな変化がない限りＣＣＤ５０出力のＯＢ部の期間のレベルはほぼ一定である。そのような条件下では、アンプ５６、５８によって閉ループが作られているため、アンプ５６、５８の出力は一定値で安定する。しかし厳密に観測すれば、アンプ５８の出力は微妙な振動を繰り返している。
【００１０】
以下にこの現象について説明する。図１４（ａ）は連続クランプ、図１４（ｂ）はｎフィールド蓄積の場合のタイミングチャートである。図１４（ａ）において、アンプ５８の出力は縦軸を拡大して示している。ＯＢＣＰ５５は一水平期間に一度、ＯＢ部の期間でＨレベルとなるものであり、コンデンサＣ１１にその値が保持される。この時アンプ５８の＋及び−入力の差異が開ループゲインに応じて増幅され、その結果アンプ５６出力のレベル全体がシフトすることになる。その後再びスイッチＳＷ５７が閉じられると、レベルがシフトしたＯＢ部の値がコンデンサＣ１１に取り込まれ、アンプ５８の出力も変動する。
【００１１】
従って、図１４（ａ）においてＯＢＣＰ５５が出力される毎に、アンプ５８の出力は微妙に上下動する。目標値αは、本来アンプ５８の出力が安定すべき値であり、αを中心に誤差εの範囲でアンプ５８の出力は振動する。つまり回路全体としては、ＯＢクランプが実行され目標値αとの誤差εが検出されると、その誤差εを抑圧する方向に制御が働く。
【００１２】
ＯＢクランプ動作は一水平期間に一度しか実施されないため、その時保持された値で残りの期間を制御することになり、誤差εはどうしても発生する。尚全期間がＯＢ部のような場合（スイッチＳＷ５７を常時オンさせた場合）であれば、アンプ５８の出力は目標値αになる。ＯＢクランプ動作はサンプリング制御しか実施できないため、アンプ５８の出力の微少振動は避けられないものである。
【００１３】
但し誤差εを少なくするには、図１２（ｂ）の制御方式が最も優れた方式の１つである。実際の誤差εは非常に小さな値であり、映像信号にとっては完全に無視できる値である。
【００１４】
しかしながらこの方式の場合、蓄積フィールド数を更に増加させると問題が発生する。図１４（ｂ）に示すｎフィールド蓄積の場合には、ｎフィールドに１回だけ信号が読み出され（期間Ｔ）、それ以外の期間はＯＢＣＰ５５は出力されない（期間Ｓ）。従ってｎ−１フィールドの間コンデンサＣ１１の値はほとんど変化しない。
【００１５】
図１４（ａ）でも説明したように、最後にＯＢＣＰ５５が出力された時、目標値αとの誤差を抑圧する方向にアンプ５８の出力は変動していく。ＯＢＣＰ５５が出力されない期間Ｓは、目標値αを越えても誤差を抑圧する制御が働かないので、誤差が拡大し続ける。最後には、アンプ５８の電源電圧まで到達して飽和してしまう。その後期間ＴになってＯＢＣＰ５５が出力され、コンデンサＣ１１の値が変化することで、アンプ５８の出力は目標値αに向かって変化する。
【００１６】
しかしながら、ＯＢＣＰ５５が出力される期間Ｔは一垂直期間だけであり、期間Ｓに入るとフィードバックが働かず目標値との誤差は以前のように拡大してしまう。図１４（ｂ）に示したアンプ５８の出力の変動は、そのままアンプ５６に入力されるため、信号処理回路５４への入力信号にもこの変動が重畳されてしまう。これが最終的な映像信号に垂直シェーディングとして現れ、大きな画像破綻を招くことになる。
【００１７】
特に図１４（ｂ）のようにアンプ５８の出力が飽和レベル（±Ｖcc）まで到達すると、映像信号に大きなレベルシフトが発生する。これが交互に発生するため、周期的な白黒パターンを繰り返すことになり、発振と同様の現象となる。時定数によって現象は多少緩和されるものの、蓄積フィード数を増加させれば必ず発生する現象であり、どうしても避けられない問題であった。
【００１８】
又ＯＢＣＰ５５を期間Ｓを含めて常時出力した場合、ＣＣＤ５０から出力されていない信号をコンデンサＣ１１に保持することとなる。つまり正常なフィードバック機能が働かない状態である。この場合”信号有り”から”信号無し”、”信号無し”から”信号有り”へ変化する部分で大きなシェーディングが発生し、補正処理では修復不能なレベルとなる。又蓄積数を増加させると、前述した周期的な白黒パターンを繰り返す場合もある。
【００１９】
本発明はかかる点に鑑みてなされたものであり、固体撮像素子に複数フィールド分電荷を蓄積したときでも、シェーディングや発振状の現象を発生させないようにした固体撮像装置を提供することを目的とする。
【００２０】
【課題を解決するための手段】
本願の請求項１記載の発明は、固体撮像素子から出力されるオプティカル・ブラック部を一定値に合わせるクランプ手段を有する固体撮像装置であって、前記クランプ手段は、前記固体撮像素子の出力が一方の入力端に入力される第１のアンプ手段と、オプティカル・ブラック部でオンとなるスイッチ及び保持部を含み、前記第１のアンプ手段の出力をサンプルする第１のサンプル手段と、出力の目標値を設定する目標値設定手段と、前記第１のサンプル手段からの出力及び前記目標値設定手段からローパスフィルタ手段を介して目標値レベルが与えられ、それらの差を増幅し、前記第１のアンプ手段に入力する第２のアンプ手段と、前記第２のアンプ手段の出力を前記固体撮像素子から出力が得られる期間にサンプルする第２のサンプル手段と、前記第２のアンプ手段の出力と前記第２のサンプル手段の出力との差を増幅する第３のアンプ手段と、前記第３のアンプ手段の出力端を前記固体撮像素子から信号が出力されない期間に前記第１のサンプル手段の保持部に接続し、前記固体撮像素子から信号が出力される期間にその接続を停止するスイッチ手段と、を具備することを特徴とするものである。
【００２１】
本願の請求項２記載の発明は、固体撮像素子から出力されるオプティカル・ブラック部を一定値に合わせるクランプ手段を有する固体撮像装置であって、前記クランプ手段は、前記固体撮像素子の出力が一方の入力端に入力される第１のアンプ手段と、オプティカル・ブラック部でオンとなるスイッチ及び保持部を含み、前記第１のアンプ手段の出力をサンプルする第１のサンプル手段と、出力の目標値を設定する目標値設定手段と、前記第１のサンプル手段からの出力及び前記目標値設定手段からローパスフィルタ手段を介して目標値レベルが与えられ、それらの差を増幅し、前記第１のアンプ手段に入力する第２のアンプ手段と、前記第２のアンプ手段の出力を前記固体撮像素子から出力が得られる期間にサンプルする第２のサンプル手段と、前記第２のアンプ手段の出力と前記第２のサンプル手段の出力との差を増幅する第３のアンプ手段と、前記第３のアンプ手段の出力端を前記固体撮像素子から信号が出力されない期間に前記ローパスフィルタに接続し、前記固体撮像素子から信号が出力される期間にその接続を停止するスイッチ手段と、を具備することを特徴とするものである。
【００２２】
本願の請求項３記載の発明は、固体撮像素子から出力されるオプティカル・ブラック部を一定値に合わせるクランプ手段を有する固体撮像装置であって、前記クランプ手段は、前記固体撮像素子の出力が一方の入力端に入力される第１のアンプ手段と、オプティカル・ブラック部を含み、垂直ブランク期間以外に動作するスイッチ及び保持部を含み、前記第１のアンプ手段の出力をサンプルする第１のサンプル手段と、出力の目標値を設定する目標値設定手段と、前記第１のサンプル手段からの出力及び前記目標値設定手段からローパスフィルタ手段を介して目標値レベルが与えられ、それらの差を増幅し、前記第１のアンプ手段に入力する第２のアンプ手段と、前記第２のアンプ手段の出力を前記固体撮像素子から出力が得られる期間にサンプルする第２のサンプル手段と、前記第２のアンプ手段の出力と前記第２のサンプル手段の出力との差を増幅する第３のアンプ手段と、前記固体撮像素子から信号が出力されない期間に前記第３のアンプ手段の出力を前記第１のサンプル手段に入力し、前記固体撮像素子から信号が出力される期間に前記第１のアンプ手段の出力を前記第１のサンプル手段に入力するスイッチ手段と、を具備することを特徴とするものである。
【００２３】
本願の請求項４記載の発明は、固体撮像素子から出力されるオプティカル・ブラック部を一定値に合わせるクランプ手段を有する固体撮像装置であって、前記クランプ手段は、前記固体撮像素子の出力を増幅する第１のアンプ手段と、オプティカル・ブラック部での前記第１のアンプ手段の出力をサンプルする第１のサンプル手段と、出力の目標値を設定する目標値設定手段と、前記第１のサンプル手段の出力、及び前記目標値設定手段からローパスフィルタ手段を介して目標値レベルが与えられ、それらの差を増幅し、その出力を前記第１のアンプ手段に出力する第２のアンプ手段と、前記固体撮像素子からの出力が得られる期間に動作して前記ローパスフィルタ手段の時定数及び前記第２のアンプ手段の増幅度の一方を変化させるスイッチ手段と、を具備することを特徴とするものである。
【００２４】
本願の請求項５記載の発明は、請求項４の固体撮像装置において、前記スイッチ手段は、前記固体撮像素子から信号が出力される期間にオフ状態となり、前記第２のアンプ手段の帰還抵抗を非接続とし、前記固体撮像素子から信号が出力されない期間はオン状態となり、前記第２のアンプ手段に帰還抵抗を接続するものであり、前記第１のサンプル手段は、前記固体撮像素子から信号が出力されない期間は動作しないようにしたことを特徴とするものである。
【００２７】
【発明の実施の形態】
（実施の形態１）
本発明の実施の形態１における固体撮像装置について図面を用いて説明する。図１（ａ）は本実施の形態における固体撮像装置の全体構成を示すブロック図である。図１（ａ）において、ＣＣＤ１からの信号はＯＢクランプ回路３を介して信号処理回路４に与えられる。ＯＢクランプ回路３にはタイミング発生回路５よりオプティカル・ブラック・クランプ・パルス（ＯＢＣＰ）６及びイネーブル信号（以下、ＥＮという）７が供給され、オプティカル・ブラックでのクランプが成され、ＯＢ部を基準レベルに合わせる。その後信号処理回路４にてガンマ・ニー処理等が施されて出力される。
【００２８】
図１（ｂ）はＯＢクランプ回路３の構成を示すブロック図である。実施の形態１において第１のアンプ手段はアンプ１２、第２のアンプ手段はアンプ１１、第３のアンプ手段はアンプ１３である。又第１のサンプル手段はスイッチＳＷ１４と保持部であるコンデンサＣ３、第２のサンプル手段はスイッチＳＷ１５とコンデンサＣ２、スイッチ手段はスイッチＳＷ１６に相当する。
【００２９】
図１（ｂ）において、ＣＣＤ１の出力はアンプ１２に入力され、増幅される。アンプ１２からの出力は信号処理回路４に出力され、又スイッチＳＷ１４を経てコンデンサＣ３及びアンプ１１の＋入力に入る。目標値設定回路１０はアンプ１１出力の目標値αを設定するものであり、通常、ボリューム等で構成される。目標値αはアンプ１１の−入力と抵抗Ｒ１及びコンデンサＣ１から成るローパスフィルタ（ＬＰＦ）に入力される。
【００３０】
実施の形態１の特徴は、図中破線で示す部分、即ちアンプ１３、スイッチＳＷ１５、スイッチＳＷ１６、コンデンサＣ２を設けたことにある。本実施の形態では、ｎフィールド蓄積を実施する場合、ｎ−１フィールドの期間、ＯＢＣＰ６は出力されない。ＯＢＣＰ６が出力されない期間はＳＷ１６がオンとなってアンプ１３の出力がコンデンサＣ３及びアンプ１１の＋入力端に入力される。つまりアンプ１１にとってフィードバック信号が存在することになるため、正常な制御が実施される。
【００３１】
図２はタイミングチャートであり、図２を参照しながら実施の形態１の動作について説明する。図２（ａ）はｎフィールド蓄積時のタイミングチャート、図２（ｂ）はその振幅を拡大した図である。ＣＣＤ１の出力信号は、一垂直期間だけ出力され、ＯＢＣＰ６もその期間Ｔだけ動作し、期間Ｓでは停止する。期間ＴではＯＢＣＰ６が一水平期間毎にオンとなり、コンデンサＣ３に入力された信号がアンプ１１，１２を経てフィードバックされる。従ってコンデンサＣ３の電圧は期間Ｔの間はある一定値を中心に変動し、期間Ｓの間は最後の値を保持する。期間ＳではスイッチＳＷ１４はオープン状態となり、フィードバック信号が帰ってこなくなる。
【００３２】
一方スイッチＳＷ１５、スイッチＳＷ１６には、タイミング発生回路５からＥＮ７が供給され、オン／オフが制御される。図２（ａ）に示すように期間ＴではＥＮ７がＨレベル、期間ＳではＬレベルとなる。ＥＮ７がＨの期間ＴではスイッチＳＷ１５がオン（閉成）状態、ＳＷ１６がオフ（オープン）状態であり、コンデンサＣ２にアンプ１１の出力値が入力される。従ってスイッチＳＷ１４、スイッチＳＷ１６は同時にオンすることはない。
【００３３】
ＥＮ７がＬの期間ＳではスイッチＳＷ１５がオフし、コンデンサＣ２にアンプ１１出力の平均値が保持され、スイッチＳＷ１６はオン状態となる。アンプ１３にはコンデンサＣ２の出力と、アンプ１１の出力とが入力され、その誤差が増幅され、スイッチＳＷ１６を通じてコンデンサＣ３に供給される。結果としてフィードバック制御が動作したことになり、アンプ１１出力が変動する。
【００３４】
図２（ｂ）は部分拡大図であり、コンデンサＣ２のレベル及びアンプ１１の出力レベル変動を示しており、期間Ｔの間は目標値αを中心に変動している。期間ＳになるとコンデンサＣ２はホールドされるため、期間Ｔの最後の値を保持することになる。コンデンサＣ２のレベルが一定値となり、その値がコンデンサＣ３に反映され、アンプ１１の出力はシフトする。この時アンプ１１は目標値βを中心にわずかに変動することになるが、コンデンサＣ２が最後にホールドした値に影響されるため、期間Ｓになる毎に目標値がβ，β’等と変動していく。
【００３５】
説明のために拡大して表示したが、実際の目標値α、βの誤差は非常に小さい値であり、通常のＯＢクランプ動作の範囲内のためこの程度の変動は全く問題ない。従ってフィールド蓄積数ｎが増加しても（期間Ｓの増加）、ＯＢクランプ動作は正常に機能する。
【００３６】
図３は実施の形態１における各部の他の構成図である。図３（ａ）は目標値設定回路１０Ａを示している。この目標値設定回路１０Ａでは、図示しないマイクロコンピュータから出力されたデジタル信号をＤ／Ａコンバータ１８にてアナログ信号に変換し、アンプ１７でインピーダンス変換した後、図１（ｂ）に示すアンプ１１の−入力端に入力する。このようにすればマイクロコンピュータで目標値が変更できるため、調整が容易になるという利点がある。
【００３７】
図３（ｂ）は図１（ｂ）に一点鎖線で示したブロックの別構成であり、コンデンサＣ２、スイッチＳＷ１５は同じである。図３（ｂ）ではアンプ１９の−入力端にＬＰＦを構成する抵抗Ｒ２，コンデンサＣ４が接続され、急峻すぎる変動を抑える働きをする。
【００３８】
図３（ｃ）も図１（ｂ）に一点鎖線で示したブロックの他の構成例である。ここではアンプ１３やアンプ１９のような高ゲインのアンプに代えて、抵抗Ｒ３，Ｒ４によって低ゲインに設定したアンプ２０を用いることで、急峻な変動を抑えている。又スイッチＳＷ１６が閉じられた場合は、抵抗Ｒ５とコンデンサＣ３とでＬＰＦを構成し、更に変動を抑えている。尚抵抗Ｒ５は図１（ｂ）に示すアンプ１３に接続するだけでＬＰＦを構成し、同様の効果を得ることができる。
【００３９】
（実施の形態２）
本発明の実施の形態２における固体撮像装置について図面を用いて説明する。図４は実施の形態２における固体撮像装置のＯＢクランプ回路の構成を示すブロック図である。実施の形態１ではアンプ１１の出力をホールドし、アンプ１１の＋入力にフィードバックさせた。実施の形態２の特徴は、これをアンプ１１の−入力にフィードバックさせることにある。図４において実施の形態１と同一部分については、同一番号を付している。又その動作についても、同一番号の部分は実施の形態１と同じであり、図２を参照する。
【００４０】
尚実施の形態２においては、第３のアンプ手段はアンプ２２、スイッチ手段はスイッチＳＷ２１である。アンプ１１の出力はスイッチＳＷ１５を経て、コンデンサＣ２に及びアンプ２２の−入力端に入力される。又アンプ１１の出力端はアンプ２２の＋入力端に接続される。アンプ２２の出力端には抵抗Ｒ６が接続され、スイッチＳＷ２１を経てアンプ１１の−入力端にフィードバックされる。
【００４１】
次にこの実施の形態の動作について図５を用いて説明する。前述した実施の形態１と同一部分は図２と同様である。ＥＮ７がＨの期間ＴはスイッチＳＷ１５がオン状態、ＳＷ２１はオフ状態であり、ＥＮ７がＬの期間ＳはスイッチＳＷ１５はオフ状態、ＳＷ２１はオン状態となる。ＥＮがＬでＳＷ２１がオン状態となれば、アンプ２２の出力がＳＷ２１を介してアンプ１１の−入力端にフィードバックされる。図５に示すように、コンデンサＣ２は期間Ｔではアンプ１１の出力がそのまま加わり、期間Ｓでは、期間Ｓに移行する瞬間の値を保持し続ける。又保持されたコンデンサＣ２の値がアンプ１１にフィードバックされるため、アンプ１１出力は期間Ｔでは目標値αを中心に変動するが、期間Ｓでは目標値γやγ’の値をとる。
【００４２】
従ってフィールド蓄積数ｎが増加し、期間Ｓが長くなっても、ＯＢクランプ動作は正常に機能する。実施の形態１とは、アンプ１１出力及びコンデンサＣ２が接続されている入力の極性と、アンプ１１入力へのフィードバックさせる極性が異なっている。つまり２カ所の極性が異なることで、実施の形態１と同様の動作を実現できることになる。
【００４３】
（実施の形態３）
図６は実施の形態３における固体撮像装置のＯＢクランプ回路の構成を示すブロック図である。実施の形態３において、実施の形態１，２と同じ構成については同一の番号を付しており、その動作についても、同番号の部分は省略する。実施の形態３において、スイッチ手段はスイッチＳＷ２５である。実施の形態３の特徴は、ＯＢＣＰ２６を常に断続的に動作させることにある。スイッチＳＷ２５はアンプ１２又は１３の出力をＥＮ７によって選択し、スイッチＳＷ１４に供給する切換スイッチである。
【００４４】
次にこの実施の形態３の動作について図７を用いて説明する。ＯＢＣＰ２６は期間Ｔで出力されるばかりでなく、垂直ブランク期間を除いて期間Ｓにおいても断続的に出力されている。期間ＴにおいてＥＮ７がＨであり、このときスイッチＳＷ２５はアンプ１２の出力を選択しスイッチＳＷ１４に供給する。つまり期間Ｔでは通常動作であるためＣＣＤ１のＯＢ部のレベルがコンデンサＣ３に入力される。一方期間ＳではＥＮ７はＬであるため、スイッチＳＷ２５はアンプ１３の出力を選択する。従って期間Ｓでは、アンプ１３の出力がサンプル手段のコンデンサＣ３に入力されサンプリングされる。
【００４５】
結果としてＯＢＣＰ２６は、通常動作やｎフィールド蓄積時に関わらず連続出力で動作可能となる。期間Ｓにおいて、アンプ１３出力からコンデンサＣ３に供給される信号は離散的となるが、通常のサンプリング制御となんら変わりないため全く問題ない。尚期間Ｓでは、ＯＢＣＰ２６のパルスの幅やタイミングは任意であってもよい。
【００４６】
（実施の形態４）
図８は実施の形態４における固体撮像装置のＯＢクランプ回路の構成を示すブロック図である。実施の形態１〜３と同じ構成については同番号を付しており、その動作についても、同一番号の部分は省略する。実施の形態４において、スイッチ手段はスイッチＳＷ２７である。実施の形態４の特徴は、期間Ｔにおいて抵抗Ｒ１とコンデンサＣ１でローパスフィルタを構成するが、期間Ｓにおいては抵抗Ｒ１とＲ７で増幅回路を構成することにある。
【００４７】
スイッチＳＷ２７はＥＮ７によって制御されており、ＥＮ７がＨではスイッチＳＷ２７はオープン状態のため、抵抗Ｒ１とコンデンサＣ１によりＬＰＦが形成される。又ＥＮ７がＬではスイッチＳＷ２７が閉じられ、アンプ１１、抵抗Ｒ１と抵抗Ｒ７による増幅回路と、抵抗Ｒ７とコンデンサＣ１によるＬＰＦの構成となる。
【００４８】
次にこの実施の形態の動作について図９を用いて説明する。図示のようにＯＢＣＰ６及びＥＮ７の動作は、実施の形態１，２と同様である。従来、期間Ｓでは電源電圧（±Ｖcc）まで上昇したものが、本実施の形態では目標値設定回路１０と抵抗Ｒ１，Ｒ７とで定まる値までしか変化しない。従ってアンプ１１の出力は期間Ｓにおいて一定値をとるようになる。その結果、シェーディングも最小限に抑えることができる。又スイッチＳＷ２７を２入力型のスイッチにし、コンデンサＣ１とＲ７を選択する構成にすれば、ＬＰＦの影響もまったくなくなる。
【００４９】
（実施の形態５）
本発明の実施の形態５における固体撮像装置について図面を用いて説明する。図１０（ａ）は実施の形態５における固体撮像装置の全体構成図、図１０（ｂ）はＯＢクランプ回路のブロック図である。実施の形態１〜４と同じ構成については同番号を付しており、その動作についても、同一番号の部分は省略する。尚実施の形態５において、第２のサンプル手段はスイッチＳＷ３５、Ｃ５とアンプ３７であり、セレクト手段はスイッチＳＷ３６である。
【００５０】
図１０（ａ）において、ＣＣＤ１の出力はＯＢクランプ回路３０を介して信号処理回路４に与えられる。ＯＢクランプ回路３０はタイミング発生回路３１からＥＮ７、サンプル信号（以下、ＳＰという）３２、ＯＢＣＰ３３が供給される。実施の形態５の特徴は、ＣＣＤ１から出力されるＯＢ部相当のレベルを期間Ｓの間保持することにある。従来構成での問題は、ＣＣＤ１からの出力信号がｎフィールドに１回になることにより発生する。そこで実施の形態５では、ＣＣＤ１出力のＯＢ部相当を、期間Ｓの間ホールドする。これによって、ＣＣＤ１から常に信号が出力されるのと等価になり、ＯＢクランプ動作に問題は生じなくなる。つまりＯＢクランプ動作を連続して実施しても、アンプ１１出力が電源電圧（±Ｖcc）まで振れることはない。
【００５１】
図１０（ｂ）においてＣＣＤ１の出力はスイッチＳＷ３６を介してアンプ１２の＋入力端に与えられる。ＣＣＤ１の出力は又スイッチＳＷ３５を介してコンデンサＣ５及びアンプ３７に出力される。アンプ３７はボルテージフォロワ回路であり、その出力はスイッチＳＷ３６の一方の入力端に与えられる。スイッチＳＷ３５はサンプル信号ＳＰ３２によって制御され、スイッチＳＷ３６はイネーブル信号ＥＮによって制御される。
【００５２】
図１１は実施の形態５のタイミングチャートであり、図１１（ａ）は垂直タイミング、図１１（ｂ）は水平タイミングである。図１０（ｂ）と図１１を用いて詳細なタイミングについて説明する。
【００５３】
サンプル信号ＳＰ３２は期間ＴのＯＢ部だけ出力されており、ＳＰ３２がＨのときにスイッチＳＷ３５が閉じる。この動作によって、ＣＣＤ１出力のＯＢ相当部のレベルをコンデンサＣ５にサンプルし、ＳＰ３２がＬとなる最後の値をホールドすることになる。従ってアンプ３７の出力は、期間Ｔでは若干変動するが、期間Ｓではホールドされるため一定値になる。このレベルはアンプ３７でインピーダンス変換されてスイッチＳＷ３６に供給される。ＣＣＤ１から信号が出力されている期間ＴではＥＮ７がＨであり、スイッチＳＷ３６はＣＣＤ１の出力を選択している。
【００５４】
又ＥＮ７がＬでは、スイッチＳＷ３６はアンプ３７の出力を選択する。ＯＢＣＰ３３は垂直ブランク期間を除いて図１１（ａ）に示すように常時断続して出力されているため、アンプ１１には常にフィードバックがかかることなる。よって、アンプ１１出力が電源電圧まで振れることはない。
【００５５】
尚実施の形態２〜５においても、図３に示した目標値設定回路１０Ａなどの別構成を用いても良いことは言うまでもない。又本発明の主旨を満たす限り、種々変更可能なことは当然のことである。
【００５６】
【発明の効果】
以上説明したように本願の請求項１〜５の発明による固体撮像装置では、複数フィールド蓄積動作を行ったときにも、シェーディングや白黒パターンを繰り返す発振状の現象が発生することもない。しかもこれらの効果を簡易な構成で実現できるため、実用上極めて有効である。
【図面の簡単な説明】
【図１】本発明の実施の形態１における固体撮像装置の構成図であり、（ａ）は全体構成図、（ｂ）はＯＢクランプ回路のブロック図を示す。
【図２】実施の形態１におけるタイミングチャートであり、（ａ）はｎフィールド蓄積、（ｂ）は部分拡大のタイミングチャートを示す。
【図３】（ａ）〜（ｃ）は実施の形態１における各部の他の構成を示す図である。
【図４】実施の形態２における固体撮像装置のＯＢクランプ回路の構成を示すブロック図である。
【図５】本実施の形態による拡大したタイミングチャートを示す。
【図６】実施の形態３における固体撮像装置のＯＢクランプ回路の構成を示すブロック図である。
【図７】本実施の形態による拡大したタイミングチャートを示す。
【図８】実施の形態４における固体撮像装置のＯＢクランプ回路の構成を示すブロック図である。
【図９】本実施の形態による拡大したタイミングチャートを示す。
【図１０】実施の形態５における固体撮像装置の構成図を示す図であり、（ａ）は全体構成図、（ｂ）はＯＢクランプ回路のブロック図を示す。
【図１１】本実施の形態による固体撮像装置の垂直タイミング及び水平タイミングを示すタイミングチャートである。
【図１２】従来例の固体撮像装置の構成図であり、（ａ）は全体構成図、（ｂ）はＯＢクランプ回路のブロック図を示す。
【図１３】従来例の固体撮像装置のタイミングチャートであり、（ａ）は水平タイミング、（ｂ）は垂直タイミング、（ｃ）は４フィールド蓄積の場合のタイミングチャートを示す。
【図１４】従来例の固体撮像装置のタイミングチャートであり、（ａ）は連続クランプ、（ｂ）はｎフィールド蓄積の場合のタイミングチャートを示す。
【符号の説明】
１，５０  ＣＣＤ
３，３０，５２  ＯＢクランプ回路
４  信号処理回路
５，３１  タイミング発生回路
１０  目標値設定回路
５６，５８，１１〜１３  アンプ
５７，１４〜１６，２１，２５，２７，３５，３６  スイッチ
【図１】
0003751187.tif 000002
【図２】
0003751187.tif 000003
【図３】
0003751187.tif 000004
【図４】
0003751187.tif 000005
【図５】
0003751187.tif 000006
【図６】
0003751187.tif 000007
【図７】
0003751187.tif 000008
【図８】
0003751187.tif 000009
【図９】
0003751187.tif 000010
【図１０】
0003751187.tif 000011
【図１１】
0003751187.tif 000012
【図１２】
0003751187.tif 000013
【図１３】
0003751187.tif 000014
【図１４】
0003751187.tif 000015